(57)【要約】【課題】  特色インキを使用せず、耐光性が高く、且つ、従来より広い色再現域を表現した印刷が可能なプロセス印刷方法及び印刷データ作成装置を提供する。【解決手段】  色は、墨、藍、紅、黄、グリーン、オレンジであり、用いる顔料は、墨のインキがＣ．Ｉ．Ｐｉｇ．Ｂｌａｃｋ７と、Ｃ．Ｉ．Ｐｉｇ．Ｇｒｅｅｎ  ３６とからなり、藍のインキがＣ．Ｉ．Ｐｉｇ．Ｂｌｕｅ  １５：３からなり、紅のインキがＣ．Ｉ．Ｐｉｇ．Ｒｅｄ  １２２からなり、黄のインキがＣ．Ｉ．Ｐｉｇ．Ｙｅｌｌｏｗ  １３と、Ｃ．Ｉ．Ｐｉｇ．Ｙｅｌｌｏｗ  １２とからなり、グリーンのインキがＣ．Ｉ．Ｐｉｇ．Ｇｒｅｅｎ  ７からなり、オレンジのインキがＣ．Ｉ．Ｐｉｇ．Ｏｒａｎｇｅ  ６４からなる６色ＵＶインキでプロセス印刷を行う。【選択図】    図１
2007038540.tif 000002
【特許請求の範囲】
【請求項１】
６色のＵＶインキを用いたプロセス印刷方法であって、
前記６色のＵＶインキの色は、墨、藍、紅、黄、グリーン、オレンジであり、
前記６色のＵＶインキに用いる顔料は、
墨のインキがＣ．Ｉ．Ｐｉｇ．Ｂｌａｃｋ  ７と、Ｃ．Ｉ．Ｐｉｇ．Ｇｒｅｅｎ  ３６とからなり、
藍のインキがＣ．Ｉ．Ｐｉｇ．Ｂｌｕｅ  １５：３からなり、
紅のインキがＣ．Ｉ．Ｐｉｇ．Ｒｅｄ  １２２からなり、
黄のインキがＣ．Ｉ．Ｐｉｇ．Ｙｅｌｌｏｗ  １３と、Ｃ．Ｉ．Ｐｉｇ．Ｙｅｌｌｏｗ  １２とからなり、
グリーンのインキがＣ．Ｉ．Ｐｉｇ．Ｇｒｅｅｎ  ７と、Ｃ．Ｉ．Ｐｉｇ．Ｙｅｌｌｏｗ  １７とからなり、
オレンジのインキがＣ．Ｉ．Ｐｉｇ．Ｏｒａｎｇｅ  ３４からなる
ことを特徴とするプロセス印刷方法。
【請求項２】
前記６色のＵＶインキを、墨・藍・紅・グリーン・オレンジ・黄の刷り順で印刷することを特徴とする請求項１に記載のプロセス印刷方法。
【請求項３】
前記６色のＵＶインキのタック値は、
墨のインキが９．３±０．３、
藍のインキが８．７±０．３、
紅のインキが８．１±０．３、
グリーンのインキが７．７±０．３、
オレンジのインキが６．８±０．３、
黄のインキが５．５±０．３である
ことを特徴とする請求項２に記載のプロセス印刷方法。
【請求項４】
前記画像データにＦＭスクリーニングを施した６色の刷版用データの内、シャドー部のデータの網点密度を、予め設定した値の倍率で乗算して補正済み刷版データを作成し、前記補正済み刷版データを印刷する請求項１〜３に記載のプロセス印刷方法。
【請求項５】
前記６色のＵＶインキそれぞれのL＊C＊ｈ＊表色系におけるｈ＊値は、
墨のインキが７９．３５０°±１０°、
藍のインキが２２９．１６０°±１０°、
紅のインキが３５３．４６０°±１０°、
グリーンのインキが１５７．０００°±１０°、
オレンジのインキが５８．５１０°±１０°、
黄のインキが９２．７１０°±１０°である
ことを特徴とする請求項１に記載のプロセス印刷方法。
【請求項６】
５色以上のインキを用いたプロセス印刷に用いる印刷データ作成装置であって、
Ｌ＊ａ＊ｂ＊値と前記５色以上のインキとの対応関係を表す対応関係データを記憶する対応関係情報記憶手段と、
ユーザが入力する画像データを予め決められた色空間上の値で表現された特定色空間データに変換する変換手段と、
前記変換手段によって変換された特定色空間データを前記対応関係情報記憶手段に記憶された対応関係データに基づいて前記５色以上のインキの色ごとのデータに分解した印刷データを作成する色分解手段と、
前記色分解手段によって作成された印刷データを分解された５色以上のインキの色ごとのデータを出力する出力手段と
を具備することを特徴とする印刷データ作成装置。
【発明の詳細な説明】
【技術分野】
【０００１】
本発明は、6色のＵＶインキを用いたプロセス印刷方法並びに印刷データ作成装置に関する。
【背景技術】
【０００２】
近年の画像処理ソフトの普及に伴い、製品パッケージ等のデザイン等をする際に、ＰＣ（Ｐｅｒｓｏｎａｌ  Ｃｏｍｐｕｔｅｒ）とディスプレイを使用して画像データを作成するデザイナが増えてきている。その場合、デザイナは、デザインの画像データをディスプレイに表示させて視認し、色を決定する。そして、最終的にＲＧＢ値で色を表現した画像データを作成する。デザイナは画像データを作成した後、印刷会社に画像データを送り、印刷会社は画像データに基づいて、所望の素材に印刷処理をする。
【０００３】
ここで、従来のパッケージ印刷においては、４色（ＣＭＹＫ：Ｃｙａｎ（藍）、Ｍａｇｅｎｔａ（紅）、Ｙｅｌｌｏｗ（黄）、ｂｌａｃＫ（墨））のＵＶインキを用いたプロセス印刷が一般的に用いられていたが、ＲＧＢ値によって表現可能な色の範囲（以下、色域という）の方が、ＣＭＹＫによって表現できる色再現域より広いため、ＲＧＢ値で表現された画像データをＣＭＹＫで完全に再現することができなかった。ここで、ＵＶインキとは紫外線を照射することによって硬化するインキをいう。乾燥に数時間を要する酸化重合乾燥型インキと異なり、瞬間的に乾燥し、またプラスチック、アルミ箔貼り合せ紙などの非浸透性の素材にも印刷できるので、パッケージ等の包装材料の印刷に好ましく用いられる。
【０００４】
また、現在では、特に彩度が要求される色（特色）のインキを個別に作成し、上記４色の他にこの特色インキを印刷機にセットして印刷を行っていた。この特色インキとは、通常のプロセス４色だけでは原稿の色の再現が困難な場合に追加される色であって、例えば、緑、紫などである。ところが、この方法では、印刷対象の画像データが変わると特色インキを変更する必要がある。このため、印刷機の操作者は、特色インキを画像データが変わる度に取りはずし、印刷機を洗浄し、更に、次の画像データ用の特色インキを印刷機にセットしなければならず、時間とコストがかかってしまい、生産性が悪いという問題があった。
【０００５】
一方、ＵＶインキではない一般の酸化重合乾燥型インキでは、染料を用いた６色の印刷用インキは、市場に既に存在している（例えば、Ｐａｎｔｏｎｅ（登録商標）社製ヘキサクローム）。しかしながら、この製品は、耐光性の低い染料インキを使用した製品であるため、製品が太陽光に曝露されるような用途（例えば、商品のパッケージ、カレンダー、選挙ポスター、タイヤのタグ、自動販売機のＰＯＰ（ｐｏｉｎｔ−ｏｆ−ｐｕｒｃｈａｓｅ  ａｄｖｅｒｔｉｓｉｎｇ：購買時点広告）等）で用いると、曝露されている時間の経過と共に、色が褪せる、或いは印刷が消えてしまう。即ち、印刷用途が限られてしまっていたため、上記の問題を完全に解決することはできなかった。
【０００６】
他方、関連する技術が、以下の文献で公開されている。
【特許文献１】特開２００１−２６０５１６号公報
【特許文献２】特公平７−７５９０８号公報
【特許文献３】特表平９−５１１１０９号公報
【発明の開示】
【発明が解決しようとする課題】
【０００７】
この発明は上記の点を鑑みてなされたもので、特色インキを使用せず、耐光性が高く、且つ、従来より広い色再現域の印刷が可能なプロセス印刷方法及び印刷データ作成装置を提供することを目的とする。
【課題を解決するための手段】
【０００８】
上記の課題を解決するために、本発明は、6色のＵＶインキを用いたプロセス印刷方法であって、前記６色のＵＶインキの色は、墨、藍、紅、黄、グリーン、オレンジであり、前記６色のＵＶインキに用いる顔料は、墨のインキがＣ．Ｉ．Ｐｉｇ．  Ｂｌａｃｋ７と、Ｃ．Ｉ．Ｐｉｇ．  Ｇｒｅｅｎ  ３６とからなり、藍のインキがＣ．Ｉ．Ｐｉｇ．  Ｂｌｕｅ  １５：３からなり、紅のインキがＣ．Ｉ．Ｐｉｇ．  Ｒｅｄ  １２２からなり、黄のインキがＣ．Ｉ．Ｐｉｇ．  Ｙｅｌｌｏｗ  １３と、Ｃ．Ｉ．Ｐｉｇ．  Ｙｅｌｌｏｗ  １２とからなり、グリーンのインキがＣ．Ｉ．Ｐｉｇ．Ｇｒｅｅｎ  ７と、Ｃ．Ｉ．Ｐｉｇ．Ｙｅｌｌｏｗ  １７とからなり、オレンジのインキがＣ．Ｉ．Ｐｉｇ．  Ｏｒａｎｇｅ  ３４からなることを特徴とするプロセス印刷方法である。
【０００９】
これにより、特色インキを使用せず、耐光性が高く、且つ、従来より広い色再現域の印刷が可能となる。パッケージ等の包装材料は店頭陳列等で日にさらされる機会があり、耐光性が要求される。また外観の訴求力を高めるために特色を使うことが多い。従って本発明のプロセス印刷方法は包装材料の印刷に好適である。
【００１０】
上記のプロセス印刷方法において、好ましくは、前記６色のＵＶインキを、墨・藍・紅・グリーン・オレンジ・黄の刷り順で印刷することを特徴とする。
【００１１】
これにより、先に刷ったインキの色が薄いことによる色むら（はじき）を目立たなくすることができる。
【００１２】
上記のプロセス印刷方法において、好ましくは、前記６色のＵＶインキのタック値は、墨のインキが９．３±０．３、藍のインキが８．７±０．３、紅のインキが８．１±０．３、グリーンのインキが７．７±０．３、オレンジのインキが６．８±０．３、黄のインキが５．５±０．３である。
【００１３】
これにより、先に刷ったインキによって、後に刷ったインキが汚れてしまうこと、及び、紙剥けの現象を起こりにくくすることができる。
【００１４】
上記の色材配合率算出装置において、好ましくは、ＦＭスクリーニングを行い、印刷する画像データのシャドー部の濃度に、予め決められた値を掛けて補正画像データを作成し、前記補正画像データを印刷する。
【００１５】
これにより、ＡＭスクリーニング処理の結果と、ＦＭスクリーニング処理の結果の濃度差を小さくすることができ、また、見た目の違いも軽減することができる。
【００１６】
上記の色材配合率算出装置において、好ましくは、前記６色のＵＶインキそれぞれのL＊C＊ｈ＊表色系におけるｈ＊値は、墨のインキが７９．３５０°±１０°、藍のインキが２２９．１６０°±１０°、紅のインキが３５３．４６０°±１０°、グリーンのインキが１５７．０００°±１０°、オレンジのインキが５８．５１０°±１０°、黄のインキが９２．７１０°±１０°であることを特徴とする。
【００１７】
これにより、特色インキを使用せず、耐光性が高く、且つ、従来より広い色再現域の印刷が可能となる。
【００１８】
また、本発明は、５色以上のインキを用いたプロセス印刷に用いる印刷データ作成装置であって、Ｌ＊ａ＊ｂ＊値と前記５色以上のインキとの対応関係を表す対応関係データを記憶する対応関係情報記憶手段と、印刷する画像データを入力する画像データ入力手段と、前記画像データ入力手段によって入力された画像データを予め決められた色空間上の値で表現された特定色空間データに変換する変換手段と、前記変換手段によって変換された特定色空間データを前記対応関係情報記憶手段に記憶された対応関係データに基づいて前記５色以上のインキの色ごとのデータに分解した印刷データを作成する色分解手段と、前記色分解手段によって作成された印刷データを分解された５色以上のインキの色ごとのデータを出力する出力手段とを具備することを特徴とする印刷データ作成装置である。
【００１９】
これにより、既存の設備を利用して画像データを作成し、６色分解することができるので、新たな設備投資をせずに６色印刷の刷版用データを作成できる。
【発明の効果】
【００２０】
本発明によれば、前記６色のＵＶインキの色は、墨、藍、紅、黄、グリーン、オレンジであり、６色のＵＶインキに用いる顔料は、墨のインキがＣ．Ｉ．Ｐｉｇ．  Ｂｌａｃｋ７と、Ｃ．Ｉ．Ｐｉｇ．  Ｇｒｅｅｎ  ３６とからなり、藍のインキがＣ．Ｉ．Ｐｉｇ．  Ｂｌｕｅ  １５：３からなり、紅のインキがＣ．Ｉ．Ｐｉｇ．  Ｒｅｄ  １２２からなり、黄のインキがＣ．Ｉ．Ｐｉｇ．  Ｙｅｌｌｏｗ  １３と、Ｃ．Ｉ．Ｐｉｇ．  Ｙｅｌｌｏｗ  １２とからなり、グリーンのインキがＣ．Ｉ．Ｐｉｇ．Ｇｒｅｅｎ  ７と、Ｃ．Ｉ．Ｐｉｇ．Ｙｅｌｌｏｗ  １７とからなり、オレンジのインキがＣ．Ｉ．Ｐｉｇ．  Ｏｒａｎｇｅ  ３４からなるので、特色インキを使用せず、耐光性が高く、且つ、従来より広い色再現域の印刷が可能となる。
【発明を実施するための最良の形態】
【００２１】
以下では、本発明の実施形態について、図面を参照して説明する。
製品のパッケージ等の工業デザイナは、画像処理ソフトウェアをインストールしたＰＣ（Ｐｅｒｓｏｎａｌ  Ｃｏｍｐｕｔｅｒ）を用いて、所望の画像データを作成し、それをＣＲＴ（Ｃａｔｈｏｄｅ  Ｒａｙ  Ｔｕｂｅ）等で表示させて視認しながら、画像データを完成させる。この時、作成される画像データの色は、ＲＧＢ値で表現されている。
【００２２】
まず、インキの顔料の検討方法について説明する。図１は、従来、及び本発明の実施形態におけるプロセス印刷用のインキの顔料名とインキ作成時におけるそれらの配合率を示す表である。ここで、表中のＣ．Ｉ．Ｐｉｇ．Ｂｌａｃｋ  ７等の表記は、Ｃ．Ｉ．（Ｃｏｌｏｒ  Ｉｎｄｅｘ）Ｎａｍｅと呼ばれる、顔料を識別するためにつけられた名前を意味しており、一般に広く使用されている。また、Ｐｉｇ．はＰｉｇｍｅｎｔの略である。例えば、鉛白はＰｉｇｍｅｎｔ  Ｗｈｉｔｅ  １、黄土はＰｉｇｍｅｎｔ  Ｙｅｌｌｏｗ  ４３であり、これらのＣ．Ｉ．Ｎａｍｅが、その顔料の化学構造と対応づいている。また、表中に記載されている割合は、インキを作成する上で配合する各顔料の、インキ成分全体に対する配合率をパーセントで表示した値であり、各色のインキに対する残りの成分は、インキ作成上必要なその他の成分を指す。また、従来におけるプロセス印刷には、図１に示すように、従来品の顔料から４色（ＣＭＹＫ：Ｃｙａｎ（藍）、Ｍａｇｅｎｔａ（紅）、Ｙｅｌｌｏｗ（黄）、ｂｌａｃＫ（墨））のインキを作成して印刷に用いていた。ここで、従来の４色プロセス印刷で通常行われる刷り順（墨（Ｋ）→藍（Ｃ）→紅（Ｍ）→黄（Ｙ））において、後から刷る色は下の色を隠蔽しないように、透明性を高くする。このため、“黄”は特に“透明黄”とも呼ばれている。
【００２３】
前述の４色のインキを用いたプロセス印刷で表現できる色再現域は、ＲＧＢ値で表現できる色再現域より狭いため、インキを更に２色追加し６色とした。インキの色の選定に際しては、既存のＰａｎｔｏｎｅ（登録商標）社製インキ「ヘキサクローム」）が再現するＬ＊、ａ＊、ｂ＊値に合わせ、更に、高い耐光性が得られるＵＶインキ（紫外線硬化型インキ）に利用できる顔料を選択した。ここで、上述の製品「ヘキサクローム」は、染料を使用しているインキである。また、Ｌ＊、ａ＊、ｂ＊値とは、色をＬ＊ａ＊ｂ＊表色系で表現した時に、明度、色相、彩度を表す値である。また、Ｌ＊ａ＊ｂ＊表色系とは、ＣＩＥ（国際照明委員会）が１９７６年に定めた色空間である。また、ＵＶインキに用いることのできる顔料は限られているため、ＵＶインキ用の顔料の選定は、印刷結果を視認しながら改めて行う必要がある。
【００２４】
特に、色空間上のグリーンの領域で、ＲＧＢ値とＣＭＹＫでの色再現域の差が大きいことが分かっている。そのため、新たにグリーンのインキをプロセス印刷用に作成した。採用した顔料及び配合率は、図１の表の改良品Ａの欄に示すように、Ｃ．Ｉ．Ｐｉｇ．  Ｇｒｅｅｎ  ７を、インキ成分全体の１２．８％とし、Ｃ．Ｉ．Ｐｉｇ．  Ｙｅｌｌｏｗ  １７をインキ成分全体の６．８％とした。ここで、グリーンのインキに採用した顔料は、市場に流通していて入手コストを抑えることができ、且つ、彩度が高く、耐光性が高い顔料を選択した。
【００２５】
更に、従来の４色インキを混合するにつれて、オレンジの領域がくすみ易い（彩度が低くなる）ことが分かっている。広い色再現域を得るために、更にオレンジのインキをプロセス印刷用に採用した。採用した顔料及び配合率は、図１の表の改良品Ａの欄に示すように、Ｃ．Ｉ．Ｐｉｇ．Ｏｒａｎｇｅ  ６４を、インキ成分全体の１９．０％とした。ここで、顔料の選定にあたっては、コストを抑え、且つ、彩度が高く、耐光性が高い顔料を選択した。
【００２６】
また、上記のグリーン、オレンジのインキを追加した結果できる色再現域を考慮して、従来の紅のインキに、より青みを持たせた顔料（図１の改良品ＡのＣ．Ｉ．Ｐｉｇ．Ｒｅｄ  １２２を、インキ成分全体の１７．０％）を採用した。また、黄のインキに採用した顔料及び配合率は、図１の改良品Ａに示すように、従来より耐光性の高い、Ｃ．Ｉ．Ｐｉｇ．Ｙｅｌｌｏｗ  ３５及びＹｅｌｌｏｗ  ８３を、それぞれ、インキ成分全体の７．３％及び２．０％、即ち７３：２０の割合で混合したものとした。また、墨のインキに採用した顔料及び配合率は、図１の改良品Ａに示すように、Ｃ．Ｉ．Ｐｉｇ．Ｂｌａｃｋ  ７及びＧｒｅｅｎ  ３６を、それぞれ、インキ成分全体の１２．８％及び１．１％、即ち１２８：１１の割合で混合したものとした。
【００２７】
なお、上述において、改良品Ａの、紅のインキに、Ｃ．Ｉ．Ｐｉｇ．Ｖｉｏｌｅｔ  １９を混合し、インキの色を調整しても良い。例えば、紅のインキのインキ成分全体に対してＣ．Ｉ．Ｐｉｇ．Ｖｉｏｌｅｔ  １９を０．２％程度混合する。
【００２８】
次に、上述の、図１の改良品Ａで示す顔料を用いたインキで、プロセス印刷を行う際の、刷り順の検討方法について説明する。まず、下記のような刷り順で印刷を行い、刷り順の検討を始めた。
【００２９】
Ｋ→Ｏｒ→Ｙ→Ｃ→Ｍ→Ｇ                                      ・・・（ア）
【００３０】
上述の刷り順において、Ｋは墨、Ｏｒはオレンジ、Ｙは黄、Ｃは藍、Ｍは紅、Ｇはグリーンである。ここで、耐光性の高い顔料は一般に透明性が低くなる。上述のように顔料を変更した改良品Ａは、黄の耐光性が従来品より高くなったことによって、透明性が低下したため、従来の４色印刷の刷り順（Ｋ→Ｃ→Ｍ→Ｙ）と比較して、黄を藍の前へ変更した。同様に、上述のオレンジの顔料の透明性が比較的低いことも考慮した。
【００３１】
しかし、印刷面の下地に未硬化のＵＶインキ層がある場合、印刷を行うと下のインキが上のインキをはじき（以下、この現象をはじき現象という）、新たなインキが乗りにくい（トラッピングが悪いと呼ばれる）現象が起こる。図３（ａ）は、オレンジ、藍の順に印刷した場合の印刷面を拡大した図であり、図３（ｂ）は、藍、オレンジの順に印刷した場合の印刷面を拡大した図である。前述のはじき現象は、図３の（ａ）（ｂ）両方で確認できるが、図３（ａ）は図３（ｂ）に比べて明らかにインキがはじかれているようなパターンを確認できる。
【００３２】
考察の結果、前述のはじき現象は、人間の感覚で見た目が薄い色（黄色やオレンジなど）を先刷りし、見た目が濃い色（藍や紅など）を後刷りした場合に、斑模様のような色むらとなって個々の色が目立つ傾向があることが分かった。
このような、見た目の色むらを軽減するように、刷り順、透明性、色再現域を総合的に鑑みて検討した結果、図１の改良品Ｂに示すような顔料を用い、下記のような刷り順を決定した。
【００３３】
Ｋ→Ｃ→Ｍ→Ｇ→Ｏｒ→Ｙ                                    ・・・（イ）
【００３４】
ここで、図１の改良品Ａにおいて、黄はＣ．Ｉ．Ｐｉｇ．Ｙｅｌｌｏｗ  ３５とＹｅｌｌｏｗ  ８３の組み合わせであったが、これは、透明性が劣り、二次色（グリーン＋黄、紅＋黄、オレンジ＋黄、藍＋黄等、黄が上刷りとなる色）の発色が悪かった。この問題に対応するため、改良品Ａより耐光性が低下するものの、品質的に問題が無い耐光性レベル「３」を維持するＣ．Ｉ．Ｐｉｇ．Ｙｅｌｌｏｗ  １３とＹｅｌｌｏｗ  １２との組み合わせを採用し、インキ成分全体の１１．０％及び６．０％、即ち１１：６の割合で混合したものとした。また、改良品Ａのオレンジもやはり、透明性が劣り、二次色の発色が悪かった。これに対応するために、改良品Ａに比べて、透明性が高く、且つ耐光性を維持できる顔料（Ｃ．Ｉ．Ｐｉｇ．Ｏｒａｎｇｅ  ３４）を採用した。この結果を図１の改良品Ｂの欄に示す。
【００３５】
これにより、色が、墨、藍、紅、黄、グリーン、オレンジであり、顔料は、墨のインキがＣ．Ｉ．Ｐｉｇ．  Ｂｌａｃｋ７と、Ｃ．Ｉ．Ｐｉｇ．  Ｇｒｅｅｎ  ３６とからなり、藍のインキがＣ．Ｉ．Ｐｉｇ．  Ｂｌｕｅ  １５：３からなり、紅のインキがＣ．Ｉ．Ｐｉｇ．  Ｒｅｄ  １２２からなり、黄のインキがＣ．Ｉ．Ｐｉｇ．  Ｙｅｌｌｏｗ  １３と、Ｃ．Ｉ．Ｐｉｇ．  Ｙｅｌｌｏｗ  １２とからなり、グリーンのインキがＣ．Ｉ．Ｐｉｇ．  Ｇｒｅｅｎ  ７とＣ．Ｉ．Ｐｉｇ．  Ｙｅｌｌｏｗ  １７とからなり、オレンジのインキがＣ．Ｉ．Ｐｉｇ．  Ｏｒａｎｇｅ  ３４からなる６色のＵＶインキを用いて印刷するので、特色インキを使用せず、耐光性が高く、且つ、従来より広い色再現域の印刷が可能となる。
【００３６】
また、これにより、先に刷ったインキの色が薄いことによる斑模様（はじき）を、目立たなくすることができる。
【００３７】
なお、上述において、改良品Ｂの、オレンジのインキにＣ．Ｉ．Ｐｉｇ．Ｒｅｄ  １１２を混合し、インキの色を調整しても良い。例えば、オレンジのインキのインキ成分全体に対してＣ．Ｉ．Ｐｉｇ．Ｒｅｄ  １１２を０．１％等と混合する。
【００３８】
そして、上記の改良品Ｂの顔料を用いて６色プロセス印刷用インキを作成する。この時、作成したインキをベタ刷りで印刷した結果を、ＣＭＹＫ（全吸収）のフィルターで測定する反射濃度計で測定し、その測定結果が以下に述べる濃度推奨値に近づくようにする。ここでいう濃度とは、物質から光が反射される程度を表した光学濃度Ｄを意味し、入射光の強度をＩ０、反射光の強度をＩとすると、以下の式で表される値である。
【００３９】
Ｄ＝ｌｏｇ１０（Ｉ０／Ｉ）
【００４０】
６色インキそれぞれの濃度推奨値は、６色プロセス印刷の墨のインキの、ＣＭＹＫ色分解におけるＫ（墨）の濃度が１．８５±０．１であり、６色プロセス印刷の藍のインキの、ＣＭＹＫ色分解におけるＣ（藍）の濃度が１．６０±０．１であり、６色プロセス印刷の紅のインキの、ＣＭＹＫ色分解におけるＭ（紅）の濃度が１．５０±０．１であり、６色プロセス印刷のグリーンのインキの、ＣＭＹＫ色分解におけるＣ（藍）の濃度が１．３５±０．１であり、６色プロセス印刷のオレンジのインキの、ＣＭＹＫ色分解におけるＹ（黄）の濃度が１．３５±０．１であり、６色プロセス印刷の黄のインキの、ＣＭＹＫ色分解におけるＹ（黄）の濃度１．４０±０．１である。
【００４１】
次に、上述したように、改良品Bの顔料を用い、上述の濃度推奨値を参考にしながら作成した６色インキをベタ刷りで印刷し、その結果を反射濃度計で測定する。図２は、改良品Bの顔料を用い、上述の濃度推奨値を参考にしながら作成した６色インキをベタ刷りで印刷し、その結果を反射濃度計で測定した結果のL＊、ａ＊、ｂ＊、Ｃ＊、ｈ＊（単位：°）の値を示す表である。ここで、Ｌ＊、Ｃ＊、ｈ＊の値は、色を明度（Ｌ＊）、彩度（座標中心からの距離）（Ｃ＊）、色相角度（ｈ＊）で表したＬ＊Ｃ＊ｈ＊表色系における値であり、Ｌ＊はＬ＊ａ＊ｂ＊表色系におけるＬ＊と共通の値で表される。
【００４２】
ところで、Ｌ＊値、Ｃ＊値は、明度、彩度を示す値であるため、印刷対象となる画像データの色によってその都度調整が必要な、変動する値である。また、ａ＊値、ｂ＊値は、色相の他に彩度の要素を含んでいる。そのため、６色プロセス印刷に用いる６色のインキの作成においては、色相を表すｈ＊の値のみが、普遍的に意味を持つ値である。図２に示すように、６色インキそれぞれのｈ＊値は、墨のインキが７９．３５０°、藍のインキが２２９．１６０°、紅のインキが３５３．４６０°、グリーンのインキが１５７．０００°、オレンジのインキが５８．５１０°、黄のインキが９２．７１０°であった。６色プロセス印刷に使用するインキのｈ＊値は、図２に示す上述の値から±１０°の範囲の値を取るように、インキを作成する。
【００４３】
なお、上述の濃度推奨値は、インキ作成時の初期において目標とするための参考値であり、最終的なインキの濃度が上述の濃度推奨値の範囲でなくても良い。
【００４４】
図４〜６は、従来のインキと刷り順で印刷した場合と、図１の改良品Ｂのインキを用いて、上述の（ア）、及び、（イ）の刷り順で印刷した場合のＬ＊ａ＊ｂ＊空間における色再現域を描画した図である。図４は、再現可能な色をａ＊ｂ＊平面に投影した図、図５は、同様にａ＊Ｌ＊平面に投影した図、図６は、同様にｂ＊Ｌ＊平面に投影した図である。また、図７は、従来のインキと刷り順で印刷した場合と、図１の改良品Ｂのインキを用いて（ア）、及び、（イ）の刷り順で印刷した場合のＬ＊ａ＊ｂ＊空間における色再現域の体積を示す表である。色再現域体積の計算は、日本画像学会誌第３９巻第３号「画像の色立体外郭点抽出と色域体積の算出（ＩＩ）」に記載された「最外郭点抽出提案法」により求めた。図７に示すように、改良品Ｂの顔料で、（イ）の刷り順で印刷した結果が、最も色再現域が広い。なお、改良品Ａの顔料においても（イ）の刷り順が好ましいことを確認した。
【００４５】
次に、紙剥け、及び、インキ汚れの対策について説明する。
６色に限らず、多色印刷においては、先刷り→後刷りの順にインキの粘度を低くする。これは、粘度の高い（以下、「硬い」という）インキの上に、粘度の低い（以下、「柔らかい」という）インキは乗りやすい（トラッピングが良い）が、逆の場合は、先刷りのインキを後刷りのインキが取ってしまう現象（バックトラッピング現象）が発生し、インキに別のインキが付着する「汚れ」の現象が発生する可能性があるからである。一方、インキが硬すぎると、印刷時の「紙剥け」が懸念される。
【００４６】
上述のバックトラッピング、紙剥け、及び汚れの現象を回避するために、通常、インキの製造工程において、インキの粘度を最適にする。以下では、上述の改良品Ｂの顔料で構成した６色インキのタック値を検討する方法を説明する。
【００４７】
図８は、従来品と、改良品Ｂの顔料を用いた３種類のインキ（改良品Ｂ１、Ｂ２、Ｂ３）のタック値を示す表である。ここで、タック値とは、前述の粘度を数値化した値であり、ＪＩＳ  Ｋ  ５７０１−１（平板インキ試験方法）の４．２粘着性に記載のロータリータックメータを用いて測定した結果を意味する。また、この際のインキの量は、１．３ｃｃ、設定温度は３２℃、ローラの回転数は４００ｒｐｍである。
【００４８】
インキのタック値は、印刷時で許容される範囲、即ち、紙剥けが発生しない上限値と、インキ汚れが発生しない下限値の範囲内で設定する必要がある。図７に示す従来品は、タック値の上限値と下限値の範囲を４分割するように、各色のインキのタック値を設定していた。上述の改良品Ｂのタック値選定においては、まず、前述の従来品と同様に、タック値の上限値と下限値の範囲を６分割するように各色のインキのタック値を設定した６色のインキを作成した。その結果を図７の改良品Ｂ１に示す。しかし、改良品Ｂ１を評価したところ、インキ汚れの発生が少ない点は良好であるが、印刷素材によっては紙剥けが発生した。
【００４９】
これに対応するために、更にインキが柔らかくなるようタック値を設定しなおしたインキを試作したところ、紙剥けの現象が回避できた。そのタック値を図８の改良品Ｂ２に示す。また、この改良品Ｂ２の結果、黄におけるインキの汚れが起きなかったため、更にインキを柔らかくしても問題ないことが分かった。そのため、更に柔らかいインキを試作して、汚れを評価した。そしてこのような試作品評価を重ねた結果、最終的に、汚れが発生せず、インキが柔らかくなったことによって光沢が向上したインキを作成した。その結果を、図８の改良品Ｂ３に示す。
【００５０】
これにより、先に刷ったインキによって、後に刷ったインキが汚れてしまうこと、及び、紙剥けの現象を起こりにくくすることができる。
【００５１】
ところで、印刷工程は、一般的に、製版工程、刷版工程、印刷工程等を経る。製版工程とは、刷版用フィルム又はデータを作成することを意味する。刷版工程は、刷版用データから版を作成することを意味する。印刷工程は、版を印刷機にセットして印刷することを意味する。以下では、画像データにおける各色の濃淡を、網点で表現した刷版用データを、色ごとに作成する方法について説明する。ここで、刷版用データ作成の代表的な手法としては、規則的に並べた網点の径の大きさで濃淡を表現するＡＭ（Ａｍｐｌｉｔｕｄｅ  Ｍｏｄｕｌａｔｉｏｎ）スクリーニングと、全て同じ大きさの網点の密度を変化させて色の濃淡を表現するＦＭ（Ｆｒｅｑｕｅｎｃｙ  Ｍｏｄｕｌａｔｉｏｎ）スクリーニングとがある。図９（ａ）は、ＡＭスクリーニングの手法を用いた印刷結果を示す図である。９ａは、本図の囲み部分の拡大図である。図９（ｂ）は、ＦＭスクリーニングの手法を用いた印刷結果を示す図である。９ｂは、本図の囲み部分の拡大図である。このＡＭスクリーニングの手法で多色印刷を行うと、網点の重ね合わせによる干渉縞（モアレ）が発生する問題があった。これを回避するために、以下では、ＦＭスクリーニングで印刷する場合について説明する。
【００５２】
ＦＭスクリーニングによって、モアレの問題を回避する一方、同じ画像を、ＡＭスクリーニングとＦＭスクリーニングの方法で印刷した場合、暗い部分（以下、シャドー部という）において、人間の見た目上の違いが起きるという問題がある。即ち、暗い部分の黒味感が足りない傾向がある。これは、図９（ａ）（ｂ）の拡大図９ａ、９ｂの比較から判るように、ＡＭスクリーニングの方が、網点が大きいためにインキの膜厚が厚くなり、濃度が高くなることが原因である。
【００５３】
図１０は、ＡＭスクリーニング及びＦＭスクリーニングの手法を用いて同一画像を印刷した際の、１色についての網点密度と濃度との関係を示す図である。囲み部分１０１は、前述のシャドー部であり、本図から、網点の面積の密度が７５％前後の箇所（例えば、６５％±５％〜９０％±５％の範囲）において、ＡＭスクリーニングとＦＭスクリーニングとの濃度の差異が顕著なことが分かる。この濃度の差異を軽減するために、ＦＭスクリーニングを施した６色の刷版用データの内、シャドー部１００１のデータの網点密度を、予め設定した値の倍率で乗算することで、補正済み刷版用データを作成する。この倍率は、事前実験により定められるが、例えば、１．０７程度である。なお、倍率は固定値でなく、網点密度により変化する可変値としても良い。これにより、ＡＭスクリーニング処理の結果と、ＦＭスクリーニング処理の結果の濃度差を小さくすることができ、また、見た目の違いも軽減することができる。
【００５４】
次に、デザイナが、自身の所有するＰＣと画像処理ソフトウェア等を用いて作成したＲＧＢ値の画像データを、上述した６色インキのプロセス印刷方法で印刷する動作について説明する。
図１１は、デザイナが作成した画像データから、６色印刷用に色分解された画像データを作成するまでのデータの流れを示す図である。１００は、画像データ１０１を上述の６色に分解した画像データを作成するＰＣ（印刷データ作成装置）であり、ＰＣ１００は、ＲＧＢ値とＬ＊ａ＊ｂ＊値との対応を示すデータであるＲＧＢプロファイル１０２と、従来のＣＭＹＫの値とＬ＊ａ＊ｂ＊値との対応を示すデータであるＣＭＹＫプロファイル１０３と、上述の図１の６色とＬ＊ａ＊ｂ＊値との対応を示すデータである６色プロファイル１０４（対応関係データ）とを記憶部（図示せず）に記憶している。また、ＰＣ１００の制御部（図示せず）は、上記３つのプロファイルに従ってデータを変換する機能を持った、既存の画像変換プログラム１１０（変換手段、色分解手段）がインストールされている。また、ＰＣ１００には、スキャナ（図示せず）が接続され、キーボード等の入力部とＣＲＴ等の表示部を持つ。
【００５５】
まず、デザイナは、ＰＣ１００に既存の画像処理ソフトウェアをインストールし、画像データ１０１を作成する。この時、作成される画像データはＲＧＢ値で表現されたデータである。なお、ＲＧＢ値の画像データは、デジタルカメラ等で作成された画像データでも良い。デザイナは、ＰＣ１００内の画像変換プログラムの起動を入力部から指示する。次いで、ＰＣ１００が画像変換プログラムを起動させると、画像変換プログラム１１０は、表示部から、画像データを要求する。デザイナはこれを視認し、作成した画像データ１０１を入力部から選択し、それがＲＧＢ値データであることを示すデータを入力する。次に、画像変換プログラム１１０は、入力された画像データを、前述のＲＧＢプロファイル１０２を用いて、Ｌ＊ａ＊ｂ＊値に変換したＬ＊ａ＊ｂ＊データファイル１０５を作成する。
【００５６】
なお、デザイナが紙面に作成したデザイン画等を、ＰＣ１００がスキャナから取り込んでも良い。その場合、スキャナが画像を取り込むと、ＰＣ１００が、ＣＭＹＫまたはＲＧＢで表現した画像データを作成する。ここでは、スキャナがＣＭＹＫまたはＲＧＢに色分解する機能を備えているとする。そして、画像変換プログラムが、ＣＭＹＫプロファイル１０３を用いて、上述と同様にＬ＊ａ＊ｂ＊データファイルを作成する。
【００５７】
その後、画像変換プログラム１１０は、６色プロファイル１０４に基づいて、Ｌ＊ａ＊ｂ＊データファイルを６色に分解した画像データ１０６を作成する。そして、色ごとに、上述のようにＦＭスクリーニング処理を施し、濃度補正をして、補正済み刷版用データを作成する。デザイナは、作成した色ごとの補正済み刷版用データと、６色インキの情報（顔料名、タック値）と刷り順の情報を印刷会社に送り、これに従って、印刷会社は印刷処理を行う。なお、６色インキの情報と刷り順の情報は、６色のプロファイルの付属情報として登録されているものとする。
【００５８】
これにより、画像処理ソフトウェア、または画像データをＣＭＹＫの４色に分解する従来のスキャナを利用して画像データを作成し、６色分解することができるので、新たな設備投資をせずに６色印刷の刷版用データを作成できる。
【００５９】
また、これにより、印刷の元となる画像データの表現形式（ＲＧＢ値、ＣＭＹＫ値等）に関わらず、Ｌ＊ａ＊ｂ＊値で表現されたデータファイルに一旦変換し、その後、６色プロファイルに従って色分解をするので、ユーザの設備で表現された色を、常に再現できる統一的な環境を構築できる。
【００６０】
なお、上述の実施形態において、デザイナが所望の色で画像データ（或いはスキャナで読み込むデザイン画）を作成し、これをＬ＊ａ＊ｂ＊データファイルに変換した後、６色に分解したが、予め、６色インキで再現可能な色見本や、ライブラリ等を、デザイナが所持し、その中から色を選択して画像データを作成しても良い。これにより、６色印刷のための色分解をスムーズに行うことができる。
【００６１】
また、上述の実施形態において、６色に色分解する６色プロファイルを用いたが、５色、或いは６色以上に色分解しても良い。
【００６２】
以上、この発明の実施形態を、図面を参照して詳述してきたが、具体的な構成はこの実施形態に限られるものではなく、この発明の要旨を逸脱しない範囲の設計等も含まれる。また、本実施形態に示す特徴が、課題を解決するために全て必須となるものではない。
【図面の簡単な説明】
【００６３】
【図１】本発明の一実施形態における従来、及び本発明の実施形態におけるプロセス印刷用のインキの顔料名を示す表である。
【図２】同実施形態における、改良品Bの顔料を用い、上述の濃度推奨値を参考にしながら作成した６色インキをベタ刷りで印刷し、その結果を反射濃度計で測定した結果のL＊、ａ＊、ｂ＊、Ｃ＊、ｈ＊（単位：°）の値を示す表である。
【図３】（ａ）（ｂ）同実施形態における、２色のインキのうち、１色のインキをベタ刷り（インキで紙を１００％覆った状態）で印刷した上に、もう１色のインキをベタ刷りで印刷した結果を拡大した図である。
【図４】同実施形態における、従来のインキと刷り順で印刷した場合と、図１の改良品Ａのインキを用いて（ア）、及び、（イ）の刷り順で印刷した場合の色再現域をａ＊ｂ＊平面に投影した図である。
【図５】同実施形態における、従来のインキと刷り順で印刷した場合と、図１の改良品Ａのインキを用いて（ア）、及び、（イ）の刷り順で印刷した場合の色再現域をａ＊Ｌ＊平面に投影した図である。
【図６】同実施形態における、従来のインキと刷り順で印刷した場合と、図１の改良品Ａのインキを用いて（ア）、及び、（イ）の刷り順で印刷した場合の色再現域をｂ＊Ｌ＊平面に投影した図である。
【図７】同実施形態における、従来のインキと刷り順で印刷した場合と、改良品Ａのインキを用いて（ア）、及び、（イ）の刷り順で印刷した場合のＬ＊ａ＊ｂ＊空間における色再現域の体積を示す表である。
【図８】同実施形態における、従来品と、改良品Ｂ１、Ｂ２、Ｂ３のインキのタック値を示す表である。
【図９】同実施形態における、（ａ）ＡＭスクリーニングの手法を用いた印刷結果を示す図、及び、（ｂ）は、ＦＭスクリーニングの手法を用いた印刷結果を示す図である。
【図１０】同実施形態における、ＡＭスクリーニング及びＦＭスクリーニングの手法を用いて同一画像を印刷した際の、１色についての網点密度と濃度との関係を示す図である。
【図１１】同実施形態における、デザイナが作成した画像データから、６色印刷用に色分解された画像データを作成するまでのデータの流れを示す図である。
【符号の説明】
【００６４】
１００…ＰＣ
１０１…画像データ
１０２…ＲＧＢプロファイル
１０３…ＣＭＹＫプロファイル
１０４…６色プロファイル
１０５…Ｌ＊ａ＊ｂ＊データファイル
１０６…６色に分解した画像データ
１１０…画像変換プログラム
【図１】
2007038540.tif 000003
【図２】
2007038540.tif 000004
【図３】
2007038540.tif 000005
【図４】
2007038540.tif 000006
【図５】
2007038540.tif 000007
【図６】
2007038540.tif 000008
【図７】
2007038540.tif 000009
【図８】
2007038540.tif 000010
【図９】
2007038540.tif 000011
【図１０】
2007038540.tif 000012
【図１１】
2007038540.tif 000013